(57)【特許請求の範囲】
【請求項１】
フレームと前記フレーム内に配置された複数のフィルタ媒体プリーツパックとを有するフィルタカセットであって、前記フィルタカセットは、上流側端部と下流側端部を有し、前記フィルタカセットは、前記フィルタカセットの上流側端部に隣接するヘッダフレームを含み、前記ヘッダフレームは、前記フィルタカセットを組付けるように適応された組付け面を有する、フィルタカセットと；
ヘッダ面に対し取付けられる入口ガイドであって、前記入口ガイドは、各々一対のロフト付き短辺と一対のロフト付き長辺によって画定されている複数の開口部を有する、入口ガイドと
を含む、フィルタカセットアセンブリ。
【請求項２】
前記入口ガイドが前記ヘッダ面に対し取外し可能に取付け可能である、請求項１に記載のフィルタカセットアセンブリ。
【請求項３】
前記入口ガイドが、前記ヘッダ面に対し一体的に取付けられている、請求項１に記載のフィルタカセットアセンブリ。
【請求項４】
前記フィルタカセットが、ＥＮ１８２２−２００９に従うフィルタクラスＥ１０以上の除去効率クラスを有し、前記フィルタカセットアセンブリは、空気流が６４００ｍ３／時でフィルタセンブリ内を通過する場合の圧力降下が５００Ｐａ未満である、請求項１に記載のフィルタカセットアセンブリ。
【請求項５】
前記フィルタ媒体の平担なシート面積が３０ｍ２超であり、前記フィルタカセットが濾過ユニットの清浄側内へ１０００ｍｍ未満延在している、請求項１に記載のフィルタカセットアセンブリ。
【請求項６】
各々の前記入口ガイド開口部の各々のロフト付き短辺対が、各々の前記入口ガイド開口部に面する湾曲表面によって画定されている、請求項１に記載のフィルタカセットアセンブリ。
【請求項７】
各々のロフト付き短辺と各々のロフト付き長辺が、短楕円曲線、長楕円曲線および円曲線からなる群から選択される曲線によって画定されている、請求項１に記載のフィルタカセットアセンブリ。
【請求項８】
Ｖ字形形態に配置された少なくとも１対のフィルタプリーツパックを有する、請求項１に記載のフィルタカセットアセンブリ。
【請求項９】
Ｖ字形形態に配置された少なくとも４対のフィルタプリーツパックを有する、請求項１に記載のフィルタカセットアセンブリ。
【発明の詳細な説明】
【技術分野】
【０００１】
関連出願の相互参照
【０００２】
本特許出願は、２０１５年８月１８日出願の「湾曲した入口ガイドを伴うフィルタアセンブリ」という名称の米国仮特許出願第６２／２０６３９７号に基づく優先権を主張するものであり、その全体は参照により本明細書に組込まれる。
【０００３】
本発明は、フィルタ装置、より詳細には工業的利用分野において使用される吸気口フィルタに関する。本開示は、非常発電機、ガスタービン、ガス圧縮機、ＨＶＡＣシステム、ガス採掘作業などのさまざまな利用分野において使用される濾過ユニットの中で使用され得る。
【背景技術】
【０００４】
建物の換気システム内で吸気を濾過するための用途から大規模工業施設および機器に至るまでの広範囲の利用分野においてフィルタが利用されている。一例を挙げると、発電に用いられるガスタービン燃焼システムと関連して吸気フィルタが使用される。
【０００５】
このような利用分野においては、燃焼プロセス中で大量の空気が使用される。そして、燃焼の最適化のためおよび構成部品上の摩耗を低減するために吸気流を条件付けするには、高容量濾過装置が必要となる。この点に関して、このようなフィルタ装置が、吸気からの粒子および液体の信頼性の高い除去を提供する一方で、比較的多量のガス濾過を比較的低い圧力降下で提供することが望ましい。特に、ガスタービンの利用分野においては、タービン構成部品の劣化（例えば圧縮機翼の腐食）および圧縮機効率の損失を最小限に抑えるため、比較的小さい粒子および液滴を除去することが望ましい。認識できるように、タービン構造部品の交換は高価であるだけでなく、有意な動作不能時間をひき起こす。
【０００６】
多量の空気濾過を実現するためにはＶパネルフィルタの形態のカセットフィルタが使用されることが多い。Ｖパネルフィルタ内では、隣接するフィルタパックが概して鋭角で配向されて、気流に沿っておよび気流を横断してＶ字形構成を画定する。Ｖパネルフィルタは、従来カセットフィルタと呼ばれている。
【０００７】
上述の利用分野には、高い粒子濾過効率で大量の空気を濾過することが求められるという共通点がある。いくつかの利用分野において、単一のカセットフィルタは、毎時１０００ｍ３超を濾過する能力を有し、典型的なフィルタサイズは６００ｍｍ×６００ｍｍ×３００ｍｍまたは６００ｍｍ×６００ｍｍ×４００ｍｍ（長さ×幅×深さ）で、毎時約２５００ｍ３〜５，０００ｍ３を濾過する。毎時１０，０００ｍ３超さらには１，０００，０００ｍ３超の量の空気を濾過するために、多数のカセットフィルタを並列で使用することができる。このような利用分野においては、カセットフィルタまたはカセットは、概して「汚染空気区分」と呼ばれる上流側体積を概して「清浄空気区分」と呼ばれる下流側体積から分離する間仕切り内に組付けられている。間仕切りは、内部にカセットフィルタが組付けられる開口部を伴う壁の形態であってよく、あるいは、汚染空気区分と清浄空気区分との間に実質的に気密な間仕切りを作り出すために内部にカセットフィルタが組付けられた複数の開口部を画定するラックの形態であってよい。
【０００８】
多くの設備は、障害物または設置された機器に起因して、スペースが制限されている。このような制約条件により、カセットフィルタが清浄側内へ延在できる深さが制限され、したがってカセットフィルタのサイズが制限されてきた。サイズ制限は、フィルタ内に設置可能な媒体の量を制限する。この問題は、高効率媒体を伴う既存のフィルタシステムを改造する場合に特に深刻である。高効率媒体は多くの場合、大きな圧力降下を有し、既存の濾過システムを改造する場合にフィルタの面積を最大にすることが極めて重要になる。
【０００９】
入口濾過システムのサイズおよび重量は、一部のシステム、例えば海上プラットフォームにおいて重要な要因である。業界ではよりコンパクトなフィルタハウジングを設計することによってサイズおよび重量を低減するという傾向が存在する。設置面積が小さくなればなるほど、ハウジング内のフィルタの数は少なくなり、したがってフィルタあたりの空気流および圧力降下は高くなるという結果がもたらされる。圧力降下をより低く保つために、フィルタの長さを延長することによってより多くのフィルタ媒体が展開される。しかしながら、フィルタ部域の面の面積は同じままである。フィルタのヘッダフレーム内の狭い開口部に由来する制約は、フィルタあたり６０００ｍ３／時以上という高い流量で著しく増大する。圧力降下は、エンジンの性能に対してマイナスの影響を及ぼす。原則として、入口圧力降下が２５０Ｐａ増加する毎に、エンジン出力の０．４％の低下および発熱率の１．６７％の増大が結果としてもたらされる。
【００１０】
カセットフィルタは典型的に、パネルフィルタ対がカセットフィルタの上流側端部からカセットパネルフィルタの下流側端部に向かって延在するＶ字形を形成するように配置された複数のフィルタパックを含む。各フィルタパネルは、濾過すべき空気または気体が概して直線的にプリーツ内を通過するように、全体的濾過経路に対し概して平行に延在するフィルタ媒体の多数のプリーツで構成されている。フィルタパックは、ケーシング内に組付けられ、フィルタの一方の端部においてヘッダフレームに対し封止される。ヘッダフレームは、カセットフィルタを間仕切りの対応する組付け面に組付けるための組付け面を提供し、こうしてカセットフィルタは仕切りの開口部内へそしてこの開口部を通って清浄空気区分内へと延在する。フィルタカセットは、汚染空気区分側からアクセス可能であってよく、容易に取外しおよび交換可能である。
【００１１】
さらに、多くの利用分野で現在、フィルタが極めて大量の空気、すなわち一部のケースでは各フィルタについて６０００ｍ３／時以上の空気を濾過する能力を有することが求められている。このような高い流量は、フィルタを横断する圧力降下を劇的に増大させる。効率の良い濾過には、この圧力降下の最小化が求められる。
【００１２】
圧力降下を最小限に抑えるための公知の試みには、ヘッダフレーム上に設置された入口ガイドの使用が関与している。公知の入口ガイドは、空気流を操作し圧力降下を低減する一助となるように各々円形表面を長辺上に有する複数の開口部を有する。或る程度は有効であるものの、高流量の利用分野における圧力降下のさらに大きな低減が望まれる。
【発明の概要】
【００１３】
一態様においては、フレームとこのフレーム内に配置された複数のフィルタ媒体プリーツパックとを有するフィルタカセットであって、上流側端部と下流側端部および、フィルタカセットの上流側端部に隣接するヘッダフレームを有し、このヘッダフレームがこのフィルタカセットを組付けるように適応された組付け面を有する、フィルタカセットと；ヘッダ面に対して取付けられる入口ガイドであって、各々一対のロフト付き短辺と一対のロフト付き長辺によって画定される複数の開口部を有する入口ガイドと；を有する、間仕切り上に組付けるためのフィルタカセットアセンブリが提供される。好ましくは、フィルタカセットは、６４００ｍ３／時で５００Ｐａ未満、好ましくは３００Ｐａ未満の圧力降下、および試験規格ＥＮ、８２２−２００９  Ｐａｒｔ５に従うフィルタクラスＥ１０以上の除去効率クラスを有する。同様に好ましくは、フィルタ媒体の平担なシート面積は、３０ｍ２超、より好ましくは４０ｍ２および５０ｍ２超であり、フィルタカセットは、濾過ユニットの清浄側へ１０００ｍｍ未満延在する。同様に好ましくは、入口ガイド開口部の短辺は湾曲した表面を有し、湾曲表面は、短楕円曲線、長楕円曲線および円曲線からなる群から選択される。好ましくは、フィルタカセットは、Ｖ字形形態に配置された、少なくとも１対、より好ましくは２対、３対または４対（またはそれを上回る数）のフィルタプリーツパックを有する。いくつかのケースでは、入口ガイドおよびフィルタカセットは、取外し可能に連結されていてよい。他のケースでは、入口ガイドおよびフィルタカセットは恒久的に取付けられていてよく、あるいは一体的に連結されていてよい。
【００１４】
別の態様において、入口ガイドは、フィルタカセットに対する取付けのために提供される。入口ガイドは、フィルタカセットの開口部と整列するように構成された開口部を有し、各開口部は、一対の長辺と一対の短辺とを有し、各辺がロフト付きのまたは湾曲した表面を有する。一部のケースでは、ロフト付きまたは湾曲表面は、短楕円曲線、長楕円曲線および円曲線からなる群から選択され得る。
【００１５】
別の態様においては、上述のフィルタカセットを内含する濾過ユニットが提供される。さまざまな実施形態において、入口ガイドは、フィルタカセットのヘッダ面に対して取外し可能な形で取付けられてよく、あるいはヘッダ面に対して一体として取付けられてもよい。
【００１６】
別の態様では、カセットフィルタが間仕切りに対する取付けのためのヘッダフレームを含みかつカセットフィルタがその入口側に隣接する取付けフランジを含んでいる、カセットフィルタタイプのフィルタの設置方法が提供される。一部のケースでは、入口ガイドを、取付け面に対して取付けることができ、この入口ガイドは、各々ロフト付き長辺およびロフト付き短辺を有する複数の開口部を有する。一部のケースでは、入口ガイドを、カセットフィルタと整列するように位置付けすることができ、入口ガイドがカセットフィルタの組付け面に隣接しこれと整列するように、入口ガイドを間仕切りに取付けることができる。
【００１７】
別の態様においては、入口ガイドがフィルタカセットに対して取付けられかつ入口ガイドがフィルタカセットに対してフィルタカセットの上流側端部において取付けられている、フィルタアセンブリ内に空気を流入させる方法が提供される。入口ガイドを通って空気を流すことで、フィルタアセンブリを横断する圧力降下の低減が提供される。一部のケースでは、出口ガイドが提供されていてよく、この出口ガイドも同様に、フィルタアセンブリを横断する圧力降下の低減を提供することができる。この方法は、入口ガイドとカセットの全アセンブリを横断する圧力降下が入口ガイドによって低減されるように、入口ガイド内の複数の開口部内に空気を通過させることを含むことができる。詳細には、開口部を画定するロフト付きのおよび／または湾曲した長辺および短辺のそれぞれの対を通過して複数の開口部内に空気流を通すことができ、こうしてフィルタカセットの上流側の空気内の循環は、この空気がフィルタカセット内に流入するにつれて低減されることになる。該方法はさらに、フィルタカセットの下流側の空気流の循環を低減するのに有効な複数の出口ガイド部品を含む出口ガイドを通過してフィルタカセットの下流側端部から空気を通すことを含むことができる。空気を流す方法は、フィルタクラスＥ１０以上のフィルタについての圧力降下が、空気流が６４００ｍ３／時以上である場合に５００Ｐａ未満まで低減されるように、フィルタカセットおよび入口ガイドの全アセンブリを横断する圧力降下を低減させることを含むことができる。
【図面の簡単な説明】
【００１８】
【図１】図１は、先行技術のカセットフィルタの斜視図である。
【００１９】
【図２】図２は、本開示の例示的実施形態に係る入口ガイドの斜視図である。
【００２０】
図３Ａ〜３Ｄは、図２に示されているカセットフィルタの入口ガイドの長辺についてのさまざまなフルロフト曲線表面のａ−ａ断面図を示す。
【００２１】
【図３Ａ】図３Ａは、短楕円曲線表面の一実施例を示す。
【００２２】
【図３Ｂ】図３Ｂは、長楕円曲線表面の一実施例を示す。
【００２３】
【図３Ｃ】図３Ｃは、半円曲線表面の一実施例を示す。
【００２４】
【図３Ｄ】図３Ｄは、曲線表面に代る三角形表面の一実施例を示す。
【００２５】
図４Ａ〜４Ｄは、図２に示されたカセットフィルタの入口ガイドのさまざまなロフト付き短辺のｂ−ｂ断面図を示す。
【００２６】
【図４Ａ】図４Ａは、短楕円短辺の一実施例を示す。
【００２７】
【図４Ｂ】図４Ｂは、長楕円短辺の一実施例を示す。
【００２８】
【図４Ｃ】図４Ｃは、円形短辺の一実施例を示す。
【００２９】
【図４Ｄ】図４Ｄは、三角形短辺の一実施例を示す。
【００３０】
【図５】図５は、本開示の例示的実施形態に係る入口ガイドを伴うカセットフィルタの斜視図である。
【００３１】
【図６】図６は、本開示の例示的実施形態に係る出口ガイドを伴うカセットフィルタの斜視図である。
【００３２】
【図７】図７は、本開示の例示的実施形態に係る入口ガイドおよび出口ガイドを伴うカセットフィルタの斜視図である。
【００３３】
本発明はさまざまな修正および変形形態を受け入れるものであるが、具体的な実施形態が図面中に一例として示されており、以下で詳述される。しかしながら、本発明を記載されている特定の実施形態に限定することが意図されているわけではない。反対に、本発明はその全ての修正、等価物および変形形態を網羅するよう意図されている。
【発明を実施するための形態】
【００３４】
記載されている開示の実施形態において使用されるカセットフィルタは、先行技術に関連して以上で説明したように、上流側端部と下流側端部を有し、フレームを含み、このフレームに対してフィルタ媒体プリーツパックが嵌合され、このフレームが、間仕切りの開口部に対してカセットフィルタを組付けるように適応されたヘッダフレームを有する。
【００３５】
図１は、間仕切り６の開口部内に組付けられたカセットフィルタ１を伴う先行技術のフィルタ配置を示す。ここで示されている間仕切り６は、壁の形態である。間仕切りは、カセットフィルタ１の上流側端部１４の上流側の清浄空気区分を、カセットフィルタ１の下流側端部１６にある汚染空気区分から分離する平面を画定する。カセットフィルタ１は、複数のフィルタプリーツパック２で構成される。フィルタプリーツパック２は、対面するフィルタプリーツパック間に空気が入るよう、上流側から下流側に向かう方向で延在するＶ字形配置でカセットフィルタ１内にセットされている。プリーツパック２は、その上流側端部と下流側端部において交互に相互連結される。上流側端部１４における連結は、ヘッダフレーム８の形態である。ヘッダフレーム８は側方に突出して、その下流側側面に組付け面５を形成する。組付けフランジ５’は、組付け面５が封止機能を有する実質的に気密な形でヘッダフレーム８を介して間仕切り６内の空隙６’を通ってカセットフィルタ６を組付けることができるように、フィルタパネルパッケージを取り囲んでいる。
【００３６】
清浄すべき空気がカセットフィルタ１内を通るとき、この空気は、ヘッダフレーム８内の開口部を通ってカセットフィルタ１の中に入り、その上流側表面の側１７から、その下流側表面の側１８までフィルタプリーツパック２のフィルタ媒体４内を通過し、カセットフィルタの下流側端部１６からカセットフィルタ１を退出する。側壁１０は、フィルタパック２の所望のＶバンク配置を維持し清浄すべき空気をフィルタプリーツパック２内に強制的に通すのに必要な強度を提供し、エンドキャップ３がフィルタパックの端部を合わせてしっかりと固定し封止する。
【００３７】
「Ｖパネルフィルタ」という名称の米国特許第９２０５３５９号は、エンドキャップの陥凹部分の中に硬化性ポッティング材料を流入させることと、閉じ込められたポッティング材料中に第１および第２のフィルタパックの第１の端部の縁部表面を位置付けすることと、Ｖ字形構成を画定するべくエンドキャップから離れる方向に発散するように位置付けされた第１および第２のフィルタパックと共にポッティング材料を硬化させることとを含む、Ｖパネルフィルタ製造方法について記述している。ポッティング設置式封止方法を使用することにより、改善されたシール界面が実現される。さらに、側板をしっかりと固定するために、ヘッダ部材のスナップ特徴部により、安定性および製造上の利点を提供してもよい。
【００３８】
図１の典型的カセットフィルタは、約３００ｍｍまたは約４００ｍｍまたは約６１０ｍｍの深さを有すると考えられ、かつ典型的に５９２ｍｍ×５９２ｍｍまたは６１０ｍｍ×６１０ｍｍ（高さ×幅）のフィルタフレームを有すると考えられる。フィルタヘッダフレーム（略図を参照のこと）は約２０ｍｍの厚みを有していてよい。典型的には、３対以上のフィルタプリーツパック２がフィルタカセット内でＶ字形（以下「Ｖ」と呼ぶ）に配置される。
【００３９】
図２は、本開示の一実施形態を例示する。図２は、複数の開口部３１を有して吸気の管理を提供する入口ガイド３０を示す。各開口部３１は長辺３２および短辺３３および３４を有する。空気が開口部３１を通って流れるにつれて、長辺３２にロフト付き曲線表面を使用することで、フィルタを横断する圧力降下は減少する。一実施形態において、長辺３２は、フィルタに応じて、５〜５００ｍｍの範囲、例えば１０〜２５０ｍｍまたは２５〜７５ｍｍの範囲内の高さを有していてよい。曲線表面の実施例は、限定されないが、図３Ａ内に示された短楕円、図３Ｂに示された長楕円および図３Ｃに示された円が挙げられる。代替的には、長辺は、図３Ｄ内に三角形として示されているロフト付き直線表面を含んでいてよい。図３Ａ〜３Ｄは隣接する辺３２の間の開口部３１に類似の開口距離を維持していること、およびこの開口距離は形状因子に応じて変動しないことを理解すべきである。
【００４０】
先行技術のデバイスとは異なり、図２の実施形態中の各開口部の短辺３３および３４は、図４Ａ、４Ｂおよび４Ｃに示されているロフト付き曲線表面を有する。例示された実施形態において、短辺３３および３４は、２５ｍｍの高さを有するが、変形実施形態においては他の曲線長さが使用される（例えば高さ７５ｍｍ）。短辺３３および３４の高さはフィルタによって左右されることがあり、５〜５００ｍｍ、例えば１０〜２５０または２５〜７５ｍｍであってよいことを理解すべきである。図示されている短辺３３および３４の曲線は、空気が通過する開口部の中心に向かって内向きに面している。流れ方向に沿った曲線表面は、平坦なヘッダ８上での急激な収縮とは反対に、Ｖの進入口内への空気流の円滑な推移を結果としてもたらす。ロフト付き湾曲表面の例としては、限定されないが、図４Ａに示された短楕円、図４Ｂに示された長楕円および図４Ｃに示された円が挙げられる。本発明の別の実施形態において、短辺３３および３４は、図４Ｄに三角形として示されているように、ロフト付き直線表面であってよい。短辺３３および３４の形状因子の変動は、有意な圧力降下の影響をもたらす。図４Ａ〜４Ｄが、短辺３３および３４の間の開口部３１に類似の開口距離を維持すること、およびこの開口距離が形状因子に応じて変動しないことを理解すべきである。
【００４１】
ロフト曲線は、高さ対幅比により特徴づけされる。一実施形態において、この比率は１対２．７である。別の実施形態においては、この比率は１対１である。図３Ａ〜Ｄに示されているように入口ガイドおよび出口ガイドについて円形、楕円形または三角形の形状を形成するよう、さまざまなロフト曲線が可能である。図４Ａ〜Ｄに示されているように、外側の長辺および短辺について空気流を層流化するためには、半分の断面形状しか必要でない。
【００４２】
入口ガイド３０は、予め存在するカセットフィルタ１、特に工業用システム内部にすでに位置付けされている予め設置されたカセットフィルタに対する取付けに対応するように製造され得る。詳細には、入口ガイド３０は、最初に工業用システムからカセットフィルタ１を取外すことなく容易に設置されるように製造されてよい。一部のケースでは、入口ガイド３０は、例えば、カセットフィルタ１の平坦なヘッダ８上に入口ガイド３０を取付けるまたは「クリップする」、弾性変形するスナップ式連結器を提供することによって、工具不要の設置に対応するための取付け特徴部を含んでいてよい。例えば、入口ガイド３０のフレーム３５は、取付け面５のフランジ５’の周りにスナップ留めするように構成されてよい。
【００４３】
一部の実施形態において、連結器は、ヘッダフレーム８内の開口部中に連結可能である。他の実施形態では、連結器は、ヘッダフレーム８の周囲に連結することができる。一部の実施形態においては、ヘッダフレームに対して入口ガイドを取付けるために、ヘッダフレーム８および入口ガイド３０の周囲にクランプおよび外部クリップを提供することができる。変形実施形態においては、入口ガイド３０は、最小限の工具しか使用せずに追加の連結器を介してヘッダフレーム８に対して取付けられてよい。例えば、入口ガイド３０は、入口ガイドおよびヘッダフレームの一部分に通されたネジ、リベット、ボルトまたは類似の部品を介して、ヘッダフレームに対して取付けられてよい。入口ガイド３０は、任意には、ヘッダフレーム８に溶接されてよい。
【００４４】
入口ガイド３０は、金属またはプラスチックなどの好適な構造無欠性を有する任意の材料で製造される。可能な場合、すなわち入口ガイド３０が熱成形または熱硬化性プラスチックなどのプラスチックである場合、入口ガイド３０は、整形された長辺および短辺３２、３３、３４、開口部３１および任意の好適な連結特徴部を含む単一の部品として成形され得る。一部のケースにおいて、入口ガイド３０を、開口部３１の打ち抜きを含み得る二次成形ステップに付すことができる。適切なポリマー材料には、ＡＢＳ、ポリスチレンまたは任意の好適な射出成形可能な、または熱成形性のポリマーが含まれる可能性がある。入口ガイド３０がシートメタルなどの金属で製造されている場合、整形された長辺および短辺３２、３３、３４は、プレス機内での変形を介して成形され得、変形ステップの前または後に開口部３１を打ち抜くことができる。長辺３２および短辺３３、３４が遭遇した場合、これらは概して滑らかな弧に沿って融合するが、一部のケースにおいて、移行部を丸めるまたは平滑化する場合がある。
【００４５】
以上の図に関連して説明した入口ガイドは、フィルタハウジングのヘッダに対して取付けられるように設計された別個の部品である。代替的には、上述のような入口ガイドと組合せた形の入口ガイドを、単一の部品として工業施設内に設置することができるように、入口ガイドはフィルタフレームアセンブリと一体として製造される。一部の実施形態において、入口ガイド３０のフレーム３５は、間仕切り６に対してフィルタフレームアセンブリおよび入口ガイドを１つのユニットとして連結するための特徴部を含むことができる。例えば、入口ガイド３０のフレーム３５は、ヘッダ８と連結させるためのフランジ延長部を含むことができる。
【００４６】
図５は、本開示の一例示的実施形態を示し、入口ガイド３０が、Ｖ字形配置を有する複数のフィルタプリーツパック２で構成されたカセットフィルタ１上に組付けられている。図３Ａ〜Ｄおよび４Ａ〜Ｄに描かれた構成のいずれかまたはそれらの組合せを、カセットフィルタ１に組付けられた入口ガイド３０として構成してもよい。入口ガイド３０内の開口部３１は、全体としてフィルタプリーツパック２と整列した状態にある。本明細書に記載されているように、各開口部３１は、１組の長辺と１組の短辺によって画定され、複数の開口部が長辺セットに対して平行に走っている。長辺および短辺は、ロフト付き表面を有し、これらの表面が、フィルタプリーツパックの圧力降下を低減するという利点を提供する。
【００４７】
図６は、本開示のいくつかの態様に係る出口ガイドの例示的実施形態を示す。追加の圧力降下は、「清浄側」のカセットの退出区分における急激な流れ部域の拡大と結び付けられる。流れ断面の漸進的な増大により、この圧力降下の低減が促されると考えられる。コンピュータ研究に基づき、三角形、楕円形またはロフト付き曲線形の「出口ガイド」がこの圧力を低減すると判定された。図６に示されているように、出口ガイド４０はアタッチメントとして製造されるかまたは、圧力降下の低減を達成するためにフィルタフレーム１に一体化される可能性がある。例えば、一部のケースでは、出口ガイド４０は、例えばスナップまたはスロット連結を介して、フィルタフレーム１のプリーツパック２に対して取付けるように構成されてよい。他の一部のケースにおいて、出口ガイド４０を、例えば接着剤を介してまたはネジ、リベット、ボルトまたは類似の連結器によって、フィルタフレーム１に対して永久的にまたは半永久的に取付けることができる。出口ガイド４０は、一部のケースにおいては、フィルタフレーム１のエンドキャップ３に対して容易に取付け可能であり得るか、またはエンドキャップに完全に置換し得る。
【００４８】
出口ガイド４０は、各々フィルタフレーム１の下流側端部１６に配置された複数の出口ガイド部品を含むことができる。出口ガイド４０は、図２および３Ａ〜３Ｄに示された入口ガイド３０の長辺３２に関連して以上で説明した好適な形状のいずれかをとることができる。例えば、出口ガイド４０は、図３Ａにより例示されている短い楕円構造、図３Ｂに示されている長い楕円構造、図３Ｃに示されている円構造、または図３Ｄに示されている三角形構造をとることができる。出口ガイド４０は、例えば入口ガイド３０に関連して以上で説明した構造用金属またはプラスチックなどを含めた、任意の好適な材料で製造され得る。
【００４９】
図７は、本明細書中に記載のカセットフィルタ１上に組付けられる入口ガイド３０および出口ガイド４０の両方を有する本発明の別の実施形態を示す。
【００５０】
フィルタ媒体プリーツパック２のフィルタ媒体４は、上流側から下流側に向かう空気流に対して平行な配向で、プリーツを有していてよい。しかしながら、プリーツは、任意の方向に走っていてよい。例えば、プリーツは、上流側から下流側に向かう流れに直交して走っていてもよい。フィルタ媒体４は、セルロースまたはガラス繊維または合成材料、例えばポリエステル不織布またはポリプロピレン不織布を含んでいてよい。少なくとも２つの重畳濾過層を有し、そのうちの１層が好ましくは膜濾過層であり、他の１層が予備濾過層である複合フィルタ媒体を使用することが極めて好ましい。予備濾過層は、ナノ繊維、ガラス繊維または不織繊維質ポリマーウェブ、例えばスパンボンド、メルトブローン、ガラス繊維、マイクロガラス繊維、およびセルロースまたは微孔性膜を含んでいてよい。好ましくは、予備濾過層はメルトブローンウェブである。１つまたは複数のメルトブローンポリマー繊維ウェブ層は、ポリプロピレン、ポリエステル、ポリアミド、ポリ塩化ビニル、ポリメチルメタクリレートおよびポリエチレンを含めたさまざまなポリマー材料でできている可能性があり、その中でもポリプロピレンが最も好ましい。典型的には、ウェブを形成するポリマー繊維は、約０．０５μｍ〜約１０μｍ、好ましくは約１μｍ〜約５μｍの範囲内の直径を有する。
【００５１】
好ましくは、静電荷を有する極めて高効率の層を含むエレクトレットフィルタ媒体として、少なくとも１つの深層濾過媒体が形成される。さまざまな公知の技術を用いて濾過性能を改善するために、メルトブローン繊維に対して電荷が付与される。１つまたは複数の複合フィルタ媒体の深層濾過層の下流側には、深層濾過層内を通過する粒子を捕捉するように意図された膜濾過層が配置されている。利用分野の要件に応じて、さまざまな微孔性ポリマー膜を膜濾過層として使用することができる。膜濾過層は、以下の例示的材料から製造されてよい：ニトロセルロース、トリアセチルセルロース、ポリアミド、ポリカーボネート、ポリエチレン、ポリプロピレン、ポリテトラフルオロエチレン、ポリスルホン、ポリフッ化ビニリデン、アクリレートコポリマー。膜濾過層は、好ましくは、液体の通過を防止する能力を有する疎水性材料で製造されている。例示的濾過材料は、米国特許第７，５０１，００３号中に記載されている。好ましくは、膜濾過層は、微孔性フルオロポリマー、例えばｅＰＴＦＥ、フッ素化エチレンプロピレン（ＦＥＰ）、パーフルオロアルコキシポリマー（ＰＦＡ）、ポリプロピレン（ＰＰ）、ポリエチレン（ＰＥ）、または超高分子量ポリエチレン（ＰＥ−ＵＨＭＷ）である。特に好適なｅＰＴＦＥ膜は、米国特許第３，９５３，５６６号中に記載されている。好適な材料、その特性および対応する試験方法に関するさらなる情報については、米国特許第３，９５３，５６６号の参照が指示される。
【実施例】
【００５２】
上述の入口ガイドを組立て、作動条件に曝露した場合に入口ガイド３０およびカセットフィルタ１の全アセンブリを横断する圧力降下を大幅に低減させるものと判定した。従来のバッフルまたは羽根とは異なり、長辺３２は、入口を保護するかまたは空気流の方向を変更することを目的としていない。むしろ、カセットフィルタ１から離れるように延在する整形された長辺３２は、カセットフィルタ内に進入するにつれて空気の流れ特性を増強する。詳細には、入口ガイド３０は、ヘッダフレーム８などのブラフ面に近接して発生する循環および渦に比較した場合に、入口ガイドの面上に入射する空気内の循環および渦を低減するように機能する。予想外にも、短辺３３において同様に湾曲した表面を提供することで、カセットフィルタを横断する圧力降下は有意な差異だけさらに低減された。両方のケースにおいて、圧力降下は、入口ガイド３０がカセットフィルタ１に進入する空気流に対しより大きな表面積を曝露しているにも関わらず、減少した。空気力学的効率のこの予想外の改善に関与することの１つとして、カセットフィルタ１を通して空気を引き込むためのエネルギー消費量の商業的に有意な低減がある。圧力降下の減少については、以下で複数の実施例を参考にして論述される。
【００５３】
６４００ｍ３／時および８５００ｍ３／時というさらに高い空気流量で本明細書中に開示されている入口ガイドを使用した試験において、圧力降下は、開口部の長辺上のみに湾曲したまたはロフト付き表面を有する入口ガイドを用いた場合の７％および７％に比較して、それぞれ約１１％および１３％低減されることが示された。ＥＮ１８２２−２００９に従うフィルタクラスＥ１２を有するカセットフィルタについて、以下の表１を参照しながら、異なる入口ガイド配置を横断する圧力降下の具体的低減が示される。
【００５４】
【表１】
0006626189.tif 000002
【００５５】
表１は、本明細書中で論述されているロフト付き入口ガイドの構成の場合に圧力降下の有意な低減が達成されたことを例示している。比較例として、入口ガイドが追加されていないフィルタアセンブリは、６４００ｍ３／時の流量でフィルタを横断して３１６Ｐａの圧力降下を有し、８５００ｍ３／時の流量ではフィルタを横断して４９７Ｐａの圧力降下を有していた。
【００５６】
実施例１：円形に整形された長辺３２を追加すると（上述の図３Ｃで示された実施例の場合と同様）、円形短辺３３、３４の同時追加が無くても、試験対象の各流量について約７％という全フィルタアセンブリを横断する圧力降下の低減が得られた。
【００５７】
実施例２：図３Ａおよび４Ａに示された短楕円長辺および短辺３２、３３、３４と同様、２５ｍｍのロフト付き入口ガイドを追加すると、フィルタを横断する圧力降下のさらに一層大きい低減が得られた。この実施例では、長辺３２および短辺３３、３４の両方を修正した。６，４００ｍ３／時のより低い体積流量では、２５ｍｍのロフト付き入口ガイドは約１１％の圧力降下低減を提供し；８５００ｍ３／時のより高い体積流量では、２５ｍｍのロフト付き入口ガイドは約１３％の圧力降下低減を提供した。
【００５８】
実施例３：図３Ｂおよび４Ｂに示された長楕円長辺および短辺３２、３３、３４と同様、７５ｍｍのロフト付き入口ガイドを追加すると、フィルタを横断する圧力降下の同様に有望な低減が得られた。より低い体積流量では、７５ｍｍのロフト付き入口ガイドは圧力降下を１２％低減し、より高い体積流量では、７５ｍｍのロフト付き入口ガイドは圧力降下を１４％低減した。以下の項目［１］〜［２０］に、本発明の実施形態の例を列記する。
［１］
フィルタカセット上に設置するための入口ガイドであって、前記入口ガイドは、
複数の開口部を含み、各開口部は、長辺セットと短辺セットとにより画定され、前記複数の開口部は、前記長辺セットに対して平行に走り、
各開口部が、それぞれの長辺セットに沿って前記複数の開口部のそれぞれの前記開口部に面する第１のロフト付き表面対を含み；
各開口部が、それぞれの短辺セットに沿って前記複数の開口部のそれぞれの前記開口部に面する第２のロフト付き表面対を含む；
入口ガイド。
［２］
各々の短辺が、短楕円曲線、長楕円曲線および円曲線からなる群から選択される湾曲表面を含む、項目１に記載の入口ガイド。
［３］
前記複数の開口部の各開口部が、フィルタカセットの入口の開口部と整合するようにサイズ決定されている、項目１又は２に記載の入口ガイド。
［４］
フィルタカセットの組付け面に対して取付け可能である、項目１〜３のいずれか１項に記載の入口ガイド。
［５］
前記入口ガイドは、ＥＮ１８２２−２００９に従うフィルタクラスＥ１０以上の除去効率クラスのフィルタカセットと連結可能であり、空気流が６４００ｍ３／時でフィルタカセット内を通過する場合に前記フィルタカセットを横断する圧力降下を５００Ｐａ未満に削減するように動作可能である、項目１〜４のいずれか１項に記載の入口ガイド。
［６］
各々の前記開口部の各々のロフト付き長辺対の前記ロフト付き長辺が、前記複数の開口部のそれぞれの開口部に面する湾曲表面によって画定される、項目１〜５のいずれか１項に記載のフィルタカセットアセンブリ。
［７］
フレームと前記フレーム内に配置された複数のフィルタ媒体プリーツパックとを有するフィルタカセットであって、前記フィルタカセットは、上流側端部と下流側端部を有し、前記フィルタカセットは、前記フィルタカセットの上流側端部に隣接するヘッダフレームを含み、前記ヘッダフレームは、前記フィルタカセットを組付けるように適応された組付け面を有する、フィルタカセットと；
ヘッダ面に対し取付けられる入口ガイドであって、前記入口ガイドは、各々一対のロフト付き短辺と一対のロフト付き長辺によって画定されている複数の開口部を有する、入口ガイドと
を含む、フィルタカセットアセンブリ。
［８］
前記入口ガイドが前記ヘッダ面に対し取外し可能に取付け可能である、項目７に記載のフィルタカセットアセンブリ。
［９］
前記入口ガイドが、前記ヘッダ面に対し一体的に取付けられている、項目７に記載のフィルタカセットアセンブリ。
［１０］
前記フィルタカセットが、ＥＮ１８２２−２００９に従うフィルタクラスＥ１０以上の除去効率クラスを有し、前記フィルタカセットアセンブリは、空気流が６４００ｍ３／時でフィルタセンブリ内を通過する場合の圧力降下が５００Ｐａ未満である、項目１〜９のいずれか１項に記載のフィルタカセットアセンブリ。
［１１］
前記フィルタ媒体の平担なシート面積が３０ｍ２超であり、前記フィルタカセットが濾過ユニットの清浄側内へ１０００ｍｍ未満延在している、項目１〜１０のいずれか１項に記載のフィルタカセットアセンブリ。
［１２］
各々の前記入口ガイド開口部の各々のロフト付き短辺対が、各々の前記入口ガイド開口部に面する湾曲表面によって画定されている、項目１〜１１のいずれか１項に記載のフィルタカセットアセンブリ。
［１３］
各々のロフト付き短辺と各々のロフト付き長辺が、短楕円曲線、長楕円曲線および円曲線からなる群から選択される曲線によって画定されている、項目１〜１２のいずれか１項に記載のフィルタカセットアセンブリ。
［１４］
Ｖ字形形態に配置された少なくとも１対のフィルタプリーツパックを有する、項目１〜１３のいずれか１項に記載のフィルタカセットアセンブリ。
［１５］
Ｖ字形形態に配置された少なくとも４対のフィルタプリーツパックを有する、項目１〜１４のいずれか１項に記載のフィルタカセットアセンブリ。
［１６］
カセットフィルタタイプのカセットフィルタの設置方法であって、前記カセットフィルタは、間仕切りに対する取付けのためのヘッダフレームを含み、前記カセットフィルタは、前記カセットフィルタの前記入口の側に隣接する組付け面および前記組付け面を伴う取外し可能な入口ガイドを含み、前記入口ガイドは、複数の開口部を含み、各開口部は、それぞれのロフト付き長辺およびロフト付き短辺対を有し、前記方法は：
前記カセットフィルタを前記間仕切りに対して取付けることと；
前記入口ガイドの前記複数の開口部が前記カセットフィルタの前記入口側と整列するように、前記カセットフィルタ上に前記取外し可能な入口ガイドを位置付けすることと；
前記間仕切りおよび前記取付け面の少なくとも１つに対して前記取外し可能な入口ガイドを取付けることと
を含む、方法。
［１７］
フィルタセンブリ内に空気を流入させる方法であって、前記方法は：
フレームと前記フレーム内に配置されたフィルタ媒体プリーツパックとを有するフィルタカセットであって、前記フィルタカセットは、上流側端部と下流側端部と前記フィルタカセットの前記上流側端部に位置設定されたヘッダフレームとを有し、前記ヘッダフレームは、前記フィルタカセットを組付けるように適応された組付け面を有し、前記フィルタカセットは、前記上流側端部に取付けられた入口ガイドを有する、フィルタカセットにおいて；
前記入口ガイドと前記フィルタカセットの全アセンブリを横断する圧力降下が入口ガイドによって削減されるように、前記入口ガイド内の複数の開口部を通して前記入口ガイドの上流側から空気流を流すことを含む、方法。
［１８］
前記複数の開口部を通して前記空気流を流すことは、前記フィルタカセットの進入口において前記空気流の循環が削減されるように、前記複数の開口部の各開口部のそれぞれのロフト付き長辺対およびロフト付き短辺対の間に前記空気流を通過させることを含む、項目１７に記載の方法。
［１９］
前記フィルタカセットの前記下流側端部まで前記空気流を流すステップと、
前記フィルタカセットから下流側に延在する複数の出口ガイド部品を含む出口ガイドを通して前記空気流を流すことであって、前記空気流の循環が前記フィルタカセットの下流側で削減されるように、前記出口ガイド部品が前記フィルタカセットの下流側端部と連結されている、ことと；
をさらに含む、項目１６〜１８のいずれか１項に記載の方法。
［２０］
前記フィルタカセットがＥＮ１８２２−２００９に従うフィルタクラスＥ１０以上のクラスの除去効率を有し、空気流が６４００ｍ３／時で前記フィルタカセット中を通過する場合、前記入口ガイドと前記フィルタカセットの前記全アセンブリを横断する前記圧力降下が５００Ｐａ未満である、項目１６〜１９のいずれか１項に記載の方法。
【図１】
0006626189.tif 000003
【図２】
0006626189.tif 000004
【図３Ａ】
0006626189.tif 000005
【図３Ｂ】
0006626189.tif 000006
【図３Ｃ】
0006626189.tif 000007
【図３Ｄ】
0006626189.tif 000008
【図４Ａ】
0006626189.tif 000009
【図４Ｂ】
0006626189.tif 000010
【図４Ｃ】
0006626189.tif 000011
【図４Ｄ】
0006626189.tif 000012
【図５】
0006626189.tif 000013
【図６】
0006626189.tif 000014
【図７】
0006626189.tif 000015